(57)【特許請求の範囲】
【請求項１】
先端側にキャセーター（７）を備えた弁体収納ケース（５）内に、前記キャセーター（７）内を血液が逆流したときに空気を逃す通気フィルター（５ｄ）及び弁通導管（９）が押し当てられることで開弁し、当該弁通導管（９）の退去により閉弁する弾性孔を備えた弁体（５ｂ）を備え、前記弁体収納ケース（５）の外周面に形成された環状突起（５ｆ）にスライド自在に螺合されたスクリューアダプター（８）に、前記弁体（５ｂ）を前記キャセーター（７）方向へ押して開弁する前記弁通導管（９）を備えた連結管（４）を備え、前記弁通導管（９）及び前記キャセーター（７）を貫通する内針（２）の基端側に備えたハブ（１０）を前記連結管（４）に着脱自在に設けると共に生食水を流す回路（１３）を接続自在に設け、前記回路（１３）の接続時に前記スクリューアダプター（８）内に充填された生食水を前記スクリューアダプター（８）と前記弁体収納ケース（５）との間から滴下可能に構成してあることを特徴とする留置針。
【発明の詳細な説明】
【０００１】
【発明の属する技術分野】
本発明は、主として透析等の際に使用される留置針の改良に関し、更に詳しくは、スクリューアダプターの回動操作のみで簡単かつ確実に流路を確保できると共に、血栓生成の原因となる血流の乱れをも生じにくい有用な留置針に存する。
【０００２】
【従来の技術】
従来、斯かる留置針としては、例えば、特開昭６３−１９７４６３号公報に開示されたものが従来例として周知である。この留置針は、所望長さの内針を着脱自在に挿通する留置針本体と、該留置針本体に内設された弁体（弾性弁部材）と、該弁体を貫通すべく前記留置針本体に摺動自在に嵌合された連結管（導通部材）とを備えている。
【０００３】
【発明が解決しようとする課題】
しかしながら、上述した特開昭６３−１９７４６号公報に開示されている留置針にあっては、単に連結管を留置針本体の後端開口から押し込み挿入させる構造であるため、弁体に貫通するまでの力加減や、流路が確保できたか否かの確認、換言すれば、留置針のもっている目的部位と機械類とを連通する流路が確保されたか否かの確認が困難であると共に、使用中に連結管が意に反して緩んでしまう心配もある。
【０００４】
しかも、弾性弁部材や通気フィルターを配置している留置針本体の前方内部は、前方のキャセーター（カニューレ）に比して著しく拡径しており、また、そこへ弾性部材の中心部を貫通して連結管の先端がキャセーターに到達不能状態に突出することも相俟って、キャセーターとの間に空間が形成されるため、血栓生成の原因となる血流の乱れが生じ易く、更には、この空間に血液が停滞し凝固することがあると、殊に輸血の場合は凝固血液が混入して血管へ送られてしまうことが危惧される。
【０００５】
本発明はこのような従来の問題点に鑑みてなされたもので、連結管が意に反して緩むことなく、スクリューアダプターの回動操作のみで簡単かつ確実に流路を確保できると共に、血栓生成の原因となる血流の乱れや凝固血液の発生・混入をも防止できる有用な留置針の提供を目的としたものである。
【０００６】
【課題を解決するための手段】
本発明は、前述のごとき問題に鑑みてなされたもので、先端側にキャセーター（７）を備えた弁体収納ケース（５）内に、前記キャセーター（７）内を血液が逆流したときに空気を逃す通気フィルター（５ｄ）及び弁通導管（９）が押し当てられることで開弁し、当該弁通導管（９）の退去により閉弁する弾性孔を備えた弁体（５ｂ）を備え、前記弁体収納ケース（５）の外周面に形成された環状突起（５ｆ）にスライド自在に螺合されたスクリューアダプター（８）に、前記弁体（５ｂ）を前記キャセーター（７）方向へ押して開弁する前記弁通導管（９）を備えた連結管（４）を備え、前記弁通導管（９）及び前記キャセーター（７）を貫通する内針（２）の基端側に備えたハブ（１０）を前記連結管（４）に着脱自在に設けると共に生食水を流す回路（１３）を接続自在に設け、前記回路（１３）の接続時に前記スクリューアダプター（８）内に充填された生食水を前記スクリューアダプター（８）と前記弁体収納ケース（５）との間から滴下可能に構成してあることを特徴とするものである。
【００１４】
【発明の実施の形態】
次に、本発明の実施の一例を図面を参照しながら説明する。図中１は、本発明に係る留置針であり、この留置針１は、図１に示すように、基端側（手元側）よりハブ付き内針２を着脱自在に挿着して使用されるものである。
【００１５】
留置針１は、図２に示すように、所望長さの留置針本体３と、スクリューアダプター付き連結管４とから構成されている。
【００１６】
前記留置針本体３は、合成樹脂等の適宜材料からなり、図３に示すように、弁体収納ケース５と、該弁体収納ケース５の先端側にキャップ６を介して連通されたキャセーター７とから構成されている。
【００１７】
また、弁体収納ケース５内には、図４に示すように、同心状に配列された二つの弁体５ａ，５ｂと、両弁体５ａ，５ｂの尻栓（抜け止め）をなす弁押さえ５ｃと、弁体５ａ，５ｂ間に狭持されたドーナツ状の通気フィルター５ｄとが内設されている。
【００１８】
弁体５ａ，５ｂは、中心（同心位置）に弾性孔（図示せず）を有する合成樹脂材、ゴム等の弾性弁部材からなり、後述する弁通導管９が押し当てられることで弾性孔が強制的に押し広げられて開弁し、弁通導管９の退去に応じて同弾性孔が（自体の弾性力で）自然に収縮することにより閉弁するのである。
【００１９】
また、前記通気フィルター５ｄは、空気は通すが血液などの液体は通過させない、所謂、疎水性材料（例えば、合成繊維製の不織布等）からなり、径方向に空気のみを逃がすことで前記弁体収納ケース５内に形成された排気通路５ｅ（図５参照）と連通されている。
【００２０】
換言すれば、この排気通路５ｅは、図５に示すように、前記弁体収納ケース５の内周面に凹設された排気スリット５ｅ1 と、該スリット５ｅ1 に連通すべく弁押さえ５ｃに形成された排気スリット５ｃ1 とからなり、矢印で示すように、通気フィルター５ｄより径方向へ抜けた空気が斯かる排気スリット５ｅ1，５ｃ1を経てスクリューアダプター８内に抜けるように形成されている（所謂、エアー抜き構造）。
【００２１】
一方、前記連結管４は、前記弁体収納ケース５に螺合されるスクリューアダプター８と、弁体５ａ，５ｂを操作する弁通導管９とを備えている。
【００２２】
スクリューアダプター８は、内周面に螺旋８ａが形成された短管状体からなり、弁体収納ケース５の外周面に形成された環状突起５ｆに着脱かつスライド自在に螺合されている。
【００２３】
弁通導管９は、キャセーター７と同じ内径に形成されているもので、先端が前記弁体５ａ，５ｂに向けて突出すべくスクリューアダプター８の同心方向に内設されている。
【００２４】
従って、この弁通導管９は、図６に示すように、スクリューアダプター８の前進回動操作で、前記弁体５ａ，５ｂの弾性孔（図示せず）を貫通してキャセーター７とストレートに連通すべく開弁し（図６(ｂ)参照）、同アダプター８の後進回動操作で弁体５ａ，５ｂから退去して留置針内腔１ａを遮断すべく閉弁せしめるのである（図６(ａ)参照）。
【００２５】
尚、前記留置針本体３には、スクリューアダプター８の摺動限界位置を決定するロック手段３ａを備えるのが良い。このロック手段３ａとしては、例えば、前記スクリューアダプター８と適度なロック係合をなす突起からなり、スクリューアダプター８を最も針先側に回動させた際に、斯かる突起を乗り越えるべくパッチンと噛み合うため、連結管４の先端が正しい位置にあることを触感で知ることができる。
【００２６】
他方、内針２は、クロム鋼製の如き常套な金属針からなり、基端側にハブ１０を介してフィルター付きアダプター１１が連結されている。
【００２７】
このアダプター１１は、縮径部先端に通気フィルター１２（図４参照）が張設してあり、ハブ１０の後端開口から圧接状態に挿着されるのである。
【００２８】
このように構成される本発明の留置針Ａは、透析をする場合、まず、図７に示すように、内針２を嵌め込んだ状態で目的部位に穿刺し、逆血確認部分１２で逆血の有無を確認した後、ハブ１０を手指で掴んで留置針本体１より内針２のみを抜去する。
【００２９】
その際、図８に示すＡ−Ａのラインで、内腔が遮断されて前述したように通気フィルター５ｄから排気通路５ｅ（詳しくは、排気スリット５ｅ1，５ｃ1）を経てエアーが抜けるため、血液がキャセーター７内に逆流してきても（逆流した血液は）このＡ−Ａのラインで止まることになる。
【００３０】
次いで、連結管４の後端開口に回路１３を接続して生食水を流し、連結管４の先端から生食水が出てくるのを確認する。換言すれば、生食水はスクリューアダプター８内に充填され、同図Ｂの箇所から滴下するものである。
【００３１】
次いで、スクリューアダプター８を回して連結管４を前進せしめることにより、同連結管４の弁通導管９が弁体５ａ，５ｂを貫通（開弁）してキャセーター７とストレートに連通するため（回路導通）、血栓生成の原因となる血流の乱れが生じにくく、好適な条件で透析ができるのである。
【００３２】
そして、透析が終了したら、留置針１を目的部位より抜去するわけであるが、スクリューアダプター８を逆方向に回して後退させるだけで弁通導管９が弁体５ａ，５ｂから退去して留置針内腔１ａを遮断するため、必要以上な抜きこぼれを防止できることは云うまでもない。
【００３３】
尚、本発明の止血弁付き留置針Ａは、本実施例に限定されることなく、本発明の目的の範囲内で自由に設計変更し得るものであり、本発明はそれらの全てを包摂するものである。例えば、本実施例で示した留置針の各部品（連結管４、弁体収納ケース５、キャップ６、キャセーター７、スクリューアダプター８等）を透明若しくは半透明の素材で成形し、逆血の確認を更に明確にできるようにするのが良い。
【００３４】
【発明の効果】
本発明によれば、スクリューアダプターに内設された弁通導管を備え、スクリューアダプターの前進操作で弁体を貫通してキャセーターと連通し、同アダプターの後退操作で弁体より退去して流路を遮断するため、連結管が意に反して緩むことがなく、スクリューアダプターの回動操作のみで簡単かつ確実に流路を確保できる。
【００３６】
また、本発明によれば、前記弁体と通気フィルターとの協働で、内腔が遮断された際、同通気フィルターからエアーのみが抜けるため、血液等の内容物がキャセーター内に逆流してきても（逆流した内容物は）このフィルター位置で止まることとなり（止血弁作用）、更に、スクリューアダプターを回動して連結管を前進せしめることにより、同連結管の弁通導管が弁体を貫通（開弁）しキャセーターと連通するため（回路導通）、血栓生成の原因となる血流の乱れや凝固血液の発生・混入をも防止できる有用な留置針を提供できるのである。
【図面の簡単な説明】
【図１】本発明に係る留置針に内針を挿着させた状態を示す平面図である。
【図２】本実施例で使用する留置針本体の説明図である。
【図３】本発明に係る留置針と内針との組立分解図である。
【図４】本発明に係る留置針に内針を挿着させた状態を示す縦断面図である。
【図５】同留置針のエアー抜き手段を示す拡大縦断面図である。
【図６】図６(ａ)は同留置針の閉弁時を示す縦断面図、図６(ｂ)は同留置針の開弁時を示す縦断面図である。
【図７】同留置針に内針を挿着させた穿刺可能状態を示す説明図である。
【図８】内針を抜去した留置針内腔の遮断状態（閉弁状態）に、回路を介して生食水を注入した状態を示す説明図である。
【図９】キャセーターとストレートに連通した状態（開弁状態）を示す説明図である。
【符号の説明】
１  留置針
１ａ  留置針内腔
２  内針
３  留置針本体
３ａ  ロック手段
４  連結管
５  弁体収納ケース
５ａ  弁体
５ｂ  弁体
５ｃ  弁押え
５ｃ1 排気スリット
５ｄ  通気フィルター
５ｅ  排気通路
５ｅ1 排気スリット
５ｆ  環状突起
６  キャップ
７  キャセーター
８  スクリューアダプター
８ａ  螺旋
９  弁通導管
１０  ハブ
１１  フィルター付きアダプター
１２  通気フィルター
１３  回路
【図１】
0004344433.tif 000002
【図２】
0004344433.tif 000003
【図３】
0004344433.tif 000004
【図４】
0004344433.tif 000005
【図５】
0004344433.tif 000006
【図６】
0004344433.tif 000007
【図７】
0004344433.tif 000008
【図８】
0004344433.tif 000009
【図９】
0004344433.tif 000010